(57)【要約】      （修正有）【課題】室内の省スペースに安置することができ、住宅事情が悪い都市部の人であっても、身近に手元供養（自宅供養）ができる遺骨を粉骨化して収納するための納骨箱と、納骨箱を収納可能な納骨仏壇を提供する。【解決手段】納骨箱１０は、粉骨化した遺骨Ｂを納めた納骨袋Ｈを収納する所要長さ、幅、深さを有して上方が開口した収納室１２ａを備える収納箱体１２と、収納箱体の開口を閉塞する蓋体１１と、から構成されており、納骨仏壇は、本尊や位牌等の礼拝仏具が供えられる厨子部の下方位置に納骨部を設け、納骨部には棚段が設けられて納骨箱１０を縦置きまたは平置きに収納可能な構成となっている。【選択図】図１
0003196387.tif 000002
【実用新案登録請求の範囲】
【請求項１】
遺骨を粉骨化して収納するための納骨箱であって、
前記納骨箱は、所要長さ，幅，深さを有して上方が開口した収納室を備える収納箱体と、該収納箱体の開口を閉塞する蓋体と、から構成されていることを特徴とする納骨箱。
【請求項２】
前記納骨箱が、平面視略Ａ４規格サイズあるいは略Ｂ４規格サイズに成形されて成ることを特徴とする請求項１に記載の納骨箱。
【請求項３】
前記蓋体に、故人情報を表示する表示部が設けられていることを特徴とする請求項１または請求項２に記載の納骨箱。
【請求項４】
前記収納箱体における収納室内に、遺品を収納可能な収納仕切り枠体が挿脱可能に備えられていることを特徴とする請求項１から請求項３のいずれかに記載の納骨箱。
【請求項５】
前記請求項１乃至４記載の納骨箱を収納可能な納骨仏壇であって、
前記納骨仏壇は、本尊や位牌等の礼拝仏具が供えられる厨子部と、該厨子部の下方に位置して前方に開閉扉が設けられて成る納骨部と、から構成され、
前記納骨部は、前記納骨箱を縦置きまたは平置きに収納する棚段が設けられて成ることを特徴とする納骨仏壇。
【請求項６】
前記棚段に、前記納骨箱の収納スペースを仕切る仕切り板が設けられていることを特徴とする請求項５に記載の納骨仏壇。
【考案の詳細な説明】
【技術分野】
【０００１】
本考案は、遺骨を粉骨化して収納するための納骨箱と、該納骨箱を収納可能な納骨仏壇に関するものである。
【背景技術】
【０００２】
従来から埋葬行事として、遺体を火葬した後、遺骨を骨壷に収めて仏壇や祭壇に４９日まで安置し、その後、お墓や納骨堂に納骨する方法が日本の習慣的行事として古くから営まれてきた。
【０００３】
しかしながら、近年に至っては、一般的な葬送の方法で寺院へ納骨をする代わりに、遺骨を自宅で保管して慰霊の場を身近に置いて故人を偲ぶ手元供養（自宅供養）が行われるようになってきた。
【０００４】
その背景としては、少子高齢化、一人っ子、晩婚化などの社会的傾向に加え、継承を前提とするお墓制度に対応できない家族が増えてきていることや、子供や後継者に経済的な負担をかけたくないという思い、不景気による個人資産の減少や介護費用の負担増など、葬儀費用にかかる負担が大きくなってきていることも影響している。また、都市部では、住宅事情により仏壇やお墓を持てないといった構造的な背景もある。
【０００５】
また、宗教的に供養を望まない人も増えてきており、従来の葬儀形式にこだわらない供養の方法として、海や空への散骨葬や、樹木葬といった自然葬も社会的に容認されつつあり、故人の生きた証を従来と異なった形で残したいといった多様の死生観、供養観も生まれてきている。
【０００６】
近年では、残された家族が身近な人の死によって受ける精神的なダメージから自発的に脱却する供養手段として、手元供養（自宅供養）が一般的に行われるようになってきている。
【０００７】
また、従来の形式に捉われない自分らしく故人らしい供養をしたいという想いに応える偲びと癒しの対象として、カロートペンダントやメモリアルペンダント、メモリアルジュエリー、遺骨リング、金属製遺骨などの加工供養が若い年代を中心に受け入れられてきている。
【０００８】
一方、従来から故人を供養する仏壇としては、例えば、背もたれ椅子状に本体を形成した花台の下方部に出し入れ自在に装着された収納ボックスと、該収納ボックスの下方部に出し入れ自在に装着された引出し板と、本体の背もたれ上部に装着された遺影額縁とを備えて構成し、本体の左右両側板の下方部に切込み凹部を設けて蒔絵を入れると共に背もたれ下部の壁面に花絵を彫り込んで装着し、収納ボックスの前面に文言を書き入れられるようにした銘板を着脱自在に装着し、遺影額縁に観音開き扉を取付けて本体の背もたれ上部に着脱自在に装着してなり、手軽に持ち運びしてインテリア感覚で室内に置き、故人や先祖に限らず家族の一員として可愛がったペット用としても使用することが可能な「簡易小型仏壇」（特許文献１参照）が提案されている。
【０００９】
しかしながら、係る「簡易小型仏壇」の提案は、遺骨の収納を目的とするものではなく、手元供養（自宅供養）を行うための仏壇ではなかった。
【００１０】
また、従来から提案されている遺骨を収納する納骨仏壇としては、例えば、台座１の上に柱状部２を立設して正面凸型の外殻構造３を構成し、その外殻構造３の内部に複数個の骨壷Ｐを出し入れ可能に収納する骨壷収納部７を設け、複数個の骨壷を一括してまとまりよく尊厳さをもって納骨堂等に保管しておくことができる「納骨用仏壇」（特許文献２参照）が提案されている。
【００１１】
しかしながら、係る「納骨用仏壇」の提案は、従来からある陶器や金属製の骨壷を納骨仏壇に収める構造であるため、先代の骨壷を複数収納するには一定の大きさの収納スペースを必要とするものであって、収納数が一乃至二の少数に限られるものであった。  
【００１２】
本出願人は、従来の住宅事情や家庭の事情から、遺骨をお寺に安置して供養できない現状、そしてまた、遠方にお墓があることによってお墓に通えない事情がある人が多いことに着目し、それらの問題を解決することができる納骨箱と該納骨箱を収納するための納骨仏壇を開発し、本考案における「納骨箱並びに該納骨箱を収納可能な納骨壇」の提案に至るものである。
【先行技術文献】
【特許文献】
【００１３】
【特許文献１】実用新案登録第３０６２９８１号公報
【特許文献２】特開２０００−５０４１号公報
【考案の概要】
【考案が解決しようとする課題】
【００１４】
本考案は上記問題点に鑑み、遺骨を粉骨化して収納するための納骨箱と該納骨箱を収納可能な納骨仏壇を提供することを目的とする。
【課題を解決するための手段】
【００１５】
上記課題を解決するため、本考案に係る納骨箱は、所要長さ，幅，深さを有して上方が開口した収納室を備える収納箱体と、該収納箱体の開口を閉塞する蓋体と、から構成される手段を採る。
【００１６】
また、本考案に係る納骨箱は、平面視略Ａ４規格サイズあるいは略Ｂ４規格サイズに成形されて成る手段を採る。
【００１７】
さらに、本考案に係る納骨箱は、前記蓋体に、故人情報を表示する表示部が設けられている手段を採る。
【００１８】
またさらに、本考案に係る納骨箱は、前記収納箱体における収納室内に、遺品を収納可能な収納仕切り枠体が挿脱可能に備えられている手段を採る。
【００１９】
さらにまた、本考案に係る納骨仏壇は、本尊や位牌等の礼拝仏具が供えられる厨子部と、該厨子部の下方に位置して前方に開閉扉が設けられて成る納骨部と、から構成され、納骨部には、納骨箱を縦置きまたは平置きに収納する棚段が設けられて成る手段を採る。
【００２０】
そしてまた、本考案に係る納骨仏壇は、前記棚段に、納骨箱の収納スペースを仕切る仕切り板が設けられている手段を採る。
【考案の効果】
【００２１】
本考案に係る納骨箱並びに納骨仏壇によれば、お墓がもてない人や永代供養ができない経済的事情がある人であっても、身近に手元供養（自宅供養）ができるといった優れた効果を奏する。
【００２２】
また、本考案に係る納骨箱並びに納骨仏壇によれば、室内に省スペースの空間があれば安置することができ、住宅事情が悪い都市部の人であっても、身近に手元供養（自宅供養）ができるといった優れた効果を奏する。
【００２３】
さらに、本考案に係る納骨箱並びに納骨仏壇によれば、一の仏壇に複数の納骨箱を効率よく収納することが可能なため、世代を超えた手元供養（自宅供養）が可能になると共に、納骨場所の心配を無くすことができるといった優れた効果を奏する。
【００２４】
またさらに、本考案に係る納骨箱並びに納骨仏壇によれば、お墓の場所が遠くて頻繁に通えなかったり、高齢化に伴って交通手段がないなどの交通事情が確保できない人でも、手元供養（自宅供養）が容易にできるといった優れた効果を奏する。
【００２５】
さらにまた、本考案に係る納骨箱並びに納骨仏壇によれば、後継者がいないなど他人に継承することができない人であっても、手元供養（自宅供養）ができるといった優れた効果を奏する。
【００２６】
そしてまた、本考案に係る納骨箱並びに納骨仏壇によれば、常に身近に故人を供養できることから、日常的に手元供養（自宅供養）ができるといった優れた効果を奏する。
【図面の簡単な説明】
【００２７】
【図１】本考案に係る納骨箱の実施形態を示す説明図である。（実施例１）
【図２】本考案に係る納骨箱の実施形態を示す説明図である。（実施例２）
【図３】本考案に係る納骨仏壇の実施形態を示す説明図である。（実施例３）
【考案を実施するための形態】
【００２８】
本考案に係る納骨箱１０は、所要長さ，幅，深さを有して上方が開口した収納室１２ａを備える収納箱体１２と、該収納箱体１２の開口を閉塞する蓋体１１と、から構成されていることを最大の特徴とし、また、本考案に係る納骨仏壇２０は、厨子部２１の下方位置に納骨箱１０を縦置きまたは平置きに収納可能な納骨部２２が設けられて構成されていることを最大の特徴とする。
以下、本考案に係る納骨箱１０並びに該納骨箱１０を収納可能な納骨仏壇２０の実施形態を、図面に基づき説明する。
【００２９】
尚、本考案は、以下に述べる実施例に限定されるものではなく、本考案の技術的思想の範囲内、すなわち同一の作用効果を発揮できる形状や寸法等の範囲内で適宜変更することができる。
【実施例１】
【００３０】
図１は、本考案に係る納骨箱１０の実施形態を示す説明図であり、図1（ａ）は組み合わせ前の状態を示す全体斜視図、図1（ｂ）は組み合わせた後の状態を示す全体斜視図である。
本実施形態に係る納骨箱１０は、所要長さ，幅，深さを有して上方が開口した収納室１２ａを備える収納箱体１２と、該収納箱体１２の開口を閉塞する蓋体１１と、から構成されている。
【００３１】
前記納骨箱１０を構成する蓋体１１並びに収納箱体１２は、その材質について特に限定するものではなく、一般的な骨壷と同材質で成形すれば足りるが、例えば石製（庵治石）箱、竹製編箱、金属箱、漆塗りまたは白木の木箱などが用いられる。
【００３２】
前記収納箱体１２は、所要長さ，幅，深さを有し、且つ、上方が開口した収納室１２ａを備えて成形されるもので、該収納室１２ａは粉骨化した遺骨Ｂが収納されるスペースとして機能する。該収納箱体１２の大きさ形状は、平面視において略Ａ４規格サイズあるいは略Ｂ４規格サイズに成形されており、具体的には、略Ａ４規格サイズであれば長さ約２９７ｍｍ，幅約２１０ｍｍの方形状を採り、略Ｂ４規格サイズであれば長さ約３６４ｍｍ，幅約２５７ｍｍの方形状が採用される。また、納骨箱１０の深さについては、故人一人の遺骨Ｂを収納し得るべく、略Ａ４規格サイズであれば概ね６０〜１００ｍｍ、略Ｂ４規格サイズであれば概ね４０〜８０ｍｍ程度とする。
【００３３】
ところで、前記収納室１２ａ内に粉骨化された遺骨Ｂを収納するに際しては、骨粉の漏出を防止すべく、図面に示すように、巾着状の納骨袋Ｈに入れた後に該納骨袋Ｈごと収納する態様を採用し得る。
【００３４】
前記蓋体１１は、前記収納箱体１２の開口を閉塞するためのものであって、該収納箱体１２の大きさ形状に従って、該開口を閉塞可能な平面視方形状に成形されて成る。このとき、単に収納箱体１２の開口を閉塞するのみならず、図面に示すように、収納箱体１２の立設した側壁の外周全体をも被覆できる形態とすることが好ましい。
【００３５】
前記蓋体１１には、故人情報を表示する表示部１１ａが設けられ、収納された納骨箱１０の取り出しを容易にしている。該表示部１１ａを設ける位置については特に限定はなく、例えば蓋体１１の上面あるいは側面に設けられる。表示部１１ａに表示すべき故人情報としては、例えば家紋や戒名、命日や故人名などが考えられ、個人情報保護の観点から表示内容について電子化あるいはバーコード等による暗号化を行って、スマートフォンなど別体の読取装置を介して故人情報を得られるようにする態様も可能である。
【００３６】
以上で構成される本考案に係る納骨箱１０は、規定の大きさで製作されるため、後述する納骨物壇２０の限られたスペース内に複数の納骨箱１０を整理整頓しつつ納骨することができ、収納された歴代の故人の命日に合わせて手軽に手元供養（自宅供養）をすることが可能となる。
【実施例２】
【００３７】
図２は、本考案に係る納骨箱１０の他の実施形態を示す説明図であり、図２（ａ）は組み合わせ前の状態を示す全体斜視図、図２（ｂ）は組み合わせた後の状態を示す全体斜視図である。
本実施形態に係る納骨箱１０は、収納箱体１２における収納室内１２ａに、遺品Ｓを収納可能な収納仕切り枠体１３が挿脱可能に備えられて成り、その他の構成態様は上記第一の実施形態と同様である。
【００３８】
前記収納仕切り枠体１３は、何点かの遺品Ｓを収納すべく仕切り枠１４により幾つかのスペースに区切られて成形されており、その材質については特に限定するものではなく、例えばプラスチック等の樹脂製から成る。
【００３９】
以上で構成される本考案に係る納骨箱１０は、上記第一の実施形態と同様、規定の大きさで製作されるため、後述する納骨物壇２０の限られたスペース内に複数の納骨箱１０を整理整頓しつつ納骨することができ、収納された歴代の故人の命日に合わせて手軽に手元供養（自宅供養）をすることが可能であると共に、遺品Ｓを手元に置いてありき日の故人を偲ぶことができる。
【実施例３】
【００４０】
図３は、本考案に係る納骨仏壇２０の実施形態を示す説明図であり、図３（ａ）は納骨箱１０を縦置き仕様とした納骨仏壇２０の正面図、図３（ｂ）は納骨箱１０を平置き仕様とした納骨仏壇２０の正面図である。
本考案に係る納骨仏壇２０は、前記納骨箱１０を収納可能な納骨仏壇２０であって、厨子部２１と納骨部２２とで構成されている。
【００４１】
前記厨子部２１は、前記納骨部２２の上方に位置して本尊や位牌等の礼拝仏具が供えられる収納部で、前方には折り畳み式の観音扉が設けられて形成されている。
【００４２】
前記納骨部２２は、前記厨子部２１の下方に位置して納骨箱１０が収納される収納部で、納骨箱１０を縦置きまたは平置きに収納する棚段２４が設けられ、また、前方には開閉扉２３が設けられて形成されている。
【００４３】
なお、前記棚段２４には、図面に示すように、納骨箱１０を収納した際に各納骨箱１０の収納スペースを仕切るための仕切り板２５を設ける態様が好ましい。
【００４４】
以上で構成される本考案に係る納骨仏壇２０は、一の納骨仏壇２０に複数の納骨箱１０を整理整頓良く収納可能であるため、住宅事情に合わせて省スペースに安置することができ、世代を超えた手元供養（自宅供養）が可能になると共に、納骨場所の心配を無くすことが可能となる。
【産業上の利用可能性】
【００４５】
本考案に係る納骨箱１０並びに納骨仏壇２０は、納骨仏壇２０内に複数の納骨箱１０が整理整頓されて納骨されると共に、住宅事情に合わせて省スペースに安置することができ、さらに経済事情に合わせて日常的に手元供養（自宅供養）ができることから、本考案における「納骨箱並びに該納骨箱を収納可能な納骨仏壇」の産業上の利用可能性は極めて高いものと思料する。
【符号の説明】
【００４６】
１０    納骨箱
１１    蓋体
１１ａ  表示部
１２    収納箱体
１２ａ  収納室
１３    収納仕切り枠体
１４    仕切り枠
２０    納骨仏壇
２１    厨子部
２２    納骨部
２３    開閉扉
２４    棚段
２５    仕切り板
Ｂ    遺骨（粉骨）
Ｓ    遺品
Ｈ    納骨袋
【図１】
0003196387.tif 000003
【図２】
0003196387.tif 000004
【図３】
0003196387.tif 000005